(57)【要約】【課題】環境によらず良好な受信特性を得ることができる受信装置を提供する。【解決手段】電波を受信する第１のアンテナ１００と、第１のアンテナ１００とは別に設けられ、電波を受信する第２のアンテナ２００と、第１のアンテナ１００が受信した電波の遅延プロファイルおよび第２のアンテナ２００が受信した電波の遅延プロファイルを求める遅延プロファイル推定部５００と、第１のアンテナ１００が受信した電波の遅延プロファイルおよび第２のアンテナ２００が受信した電波の遅延プロファイルに基づいて、第１のアンテナ１００と第２のアンテナ２００のいずれか一を電波の受信に使用するよう指示する指示部７００と、指示部７００が指示した一のアンテナを電波の受信に使用するアンテナとして選択する切替部３００と、を有する。【選択図】図１
2009302610.tif 000002
【特許請求の範囲】
【請求項１】
電波を受信する第１のアンテナと、
前記第１のアンテナとは別に設けられ、電波を受信する第２のアンテナと、
前記第１のアンテナが受信した電波の遅延プロファイルおよび前記第２のアンテナが受信した電波の遅延プロファイルを求める遅延プロファイル推定部と、
前記第１のアンテナが受信した電波の遅延プロファイルおよび前記第２のアンテナが受信した電波の遅延プロファイルに基づいて、前記第１のアンテナと前記第２のアンテナのいずれか一を電波の受信に使用するよう指示する指示部と、
前記指示部が指示した一のアンテナを電波の受信に使用するアンテナとして選択する切替部と、
を有する受信装置。
【請求項２】
前記遅延プロファイル推定部は、
前記第１のアンテナが受信した電波の遅延プロファイルから、前記第１のアンテナに直接波が到達する時点と、前記直接波より遅れて前記第１のアンテナに到達する遅延波の電力が所定の閾値以下になる時点と、の差分である第１遅延時間を求めることを特徴とする請求項１に記載の受信装置。
【請求項３】
前記遅延プロファイル推定部はさらに、
前記第２のアンテナが受信した電波の遅延プロファイルから、前記第２のアンテナに直接波が到達する時点と、前記直接波より遅れて前記第２のアンテナに到達する遅延波の電力が所定の閾値以下になる時点と、の差分である第２遅延時間を求めることを特徴とする請求項２に記載の受信装置。
【請求項４】
前記指示部は、前記第１遅延時間および前記第２遅延時間に基づいて前記第１のアンテナと前記第２のアンテナのいずれか一を電波の受信に使用するよう指示することを特徴とする請求項３に記載の受信装置。
【請求項５】
前記指示部は、前記第２遅延時間より長い遅延時間である前記第１遅延時間がガードインターバルの長さより長い場合に、前記第２遅延時間を有する前記第２のアンテナを電波の受信に使用するよう指示することを特徴とする請求項４に記載の受信装置。
【請求項６】
前記第１のアンテナが受信した電波に関する電力および前記第２のアンテナが受信した電波に関する電力を求める受信電力推定部をさらに有し、
前記指示部は、前記第２遅延時間より長い遅延時間である前記第１遅延時間がガードインターバルの長さより短い場合、前記第１のアンテナと前記第２のアンテナの内、大きな電力で電波を受信できる一のアンテナを電波の受信に使用するよう指示することを特徴とする請求項５に記載の受信装置。
【請求項７】
前記第１のアンテナおよび第２のアンテナの内、一方は指向性のアンテナであり、他方は無指向性のアンテナであることを特徴とする請求項１に記載の受信装置。
【請求項８】
第１のアンテナが受信する電波の遅延プロファイルと、前記第１のアンテナとは別に設けられた第２のアンテナが受信する電波の遅延プロファイルと、に基づいて、前記第１のアンテナおよび前記第２のアンテナのいずれか一を電波の受信に使用すべきアンテナとして選択する受信方法。
【発明の詳細な説明】
【技術分野】
【０００１】
本発明は、受信装置および受信方法に関する。
【背景技術】
【０００２】
複数のアンテナから使用アンテナを適宜、選択して切り替えることで、受信特性の向上を図った選択ダイバーシチ方式の受信装置が公知である。例えば、特許文献１には、複数のアンテナの受信電力を測定し、測定結果に基づいて使用アンテナを選択する選択ダイバーシチ方式の受信装置が開示されている。
【０００３】
ところで、近年、無線データ伝送の高速化を実現する技術として、直交周波数分割多重（ＯＦＤＭ：Orthogonal Frequency Division Multiplexing）変調方式が注目されている。このＯＦＤＭ変調方式と周波数ホッピングを組み合わせ超高速・大容量の無線通信を行う通信方式にウルトラワイドバンド（ＵＷＢ：Ultra Wide Band）通信があり、ＭＢ（Multi Band）−ＯＦＤＭ方式として標準化されている（非特許文献１）。
【０００４】
このような無線データ伝送では、図１２に示すように、送信アンテナａから送信された信号が空間中を伝搬し受信アンテナｂで受信されるが、信号の伝搬経路中に壁などの障害物ｃが存在すると、信号はそこで反射する。そのため、受信アンテナｂでは送信アンテナａから直接到来する信号（直接波）以外に、障害物ｃから反射され遅延して到来する反射波（遅延波）を同時に受信することになる。実際の環境では、この遅延波は多数存在しマルチパス遅延波と呼ばれている。
【０００５】
この際、図１３に示すように、直接波のシンボルｋと遅延波のシンボル（ｋ−１）とが、遅延波の遅延時間τの部分でシンボル間干渉を生じる。
そこで、ＯＦＤＭ信号は、図１４に示すように、ガードインターバル（ＧＩ）として直接波のシンボルｋの後半の一部と同じ信号をシンボルｋの前半に接続することで、遅延波対策を講じている。
【特許文献１】特開２００５−１４２８６６号公報
【非特許文献１】ISO/IEC 26907 High Rate Ultra Wideband PHY and MAC Standard
【発明の開示】
【発明が解決しようとする課題】
【０００６】
ＯＦＤＭ信号は、ガードインターバル長が長いと、信号に対する冗長性が増し、最大伝送速度(スループット)が低下する。そのため、高速通信では極限までガードインターバル長（Ｔｇ）を短縮する傾向にある。特に、ＭＢ−ＯＦＤＭ方式のＵＷＢでは超高速通信を目指し、ガードインターバル長を約６０ｎＳまで短縮している。
【０００７】
この場合、例えば反射率が高い金属板などで囲まれた部屋のような多重反射が多く、ガードインターバル長を超えるような遅延波が到来し易い劣悪な受信環境では、シンボル間干渉が生じ易くなる。
【０００８】
しかし、特許文献１の受信装置は、各アンテナの受信電力を測定し、この測定結果に基づいてアンテナを選択しているだけである。すなわち、遅延波対策を講ずることができる構成とされていないので、上述のような劣悪な環境下で、良好な受信特性を得ることは困難である。
【課題を解決するための手段】
【０００９】
本発明の受信装置は、電波を受信する第１のアンテナと、前記第１のアンテナとは別に設けられ、電波を受信する第２のアンテナと、前記第１のアンテナが受信した電波の遅延プロファイルおよび前記第２のアンテナが受信した電波の遅延プロファイルを求める遅延プロファイル推定部と、前記第１のアンテナが受信した電波の遅延プロファイルおよび前記第２のアンテナが受信した電波の遅延プロファイルに基づいて、前記第１のアンテナと前記第２のアンテナのいずれか一を電波の受信に使用するよう指示する指示部と、前記指示部が指示した一のアンテナを電波の受信に使用するアンテナとして選択する切替部と、を有する。各々のアンテナの遅延プロファイルに基づいて、使用アンテナを切り替えるので、ガードインターバル長を超えるような遅延波が到来する劣悪な受信環境下で信号を受信する際には、シンボル間干渉が生じないように、受信する遅延波の遅延時間が短い方のアンテナに切り替えることができる。
【００１０】
本発明の受信方法は、第１のアンテナが受信する電波の遅延プロファイルと、前記第１のアンテナとは別に設けられた第２のアンテナが受信する電波の遅延プロファイルと、に基づいて、前記第１のアンテナおよび前記第２のアンテナのいずれか一を電波の受信に使用すべきアンテナとして選択する。各々のアンテナの遅延プロファイルに基づいて、使用アンテナを切り替えるので、ガードインターバル長を超えるような遅延波が到来する劣悪な受信環境下で信号を受信する際には、シンボル間干渉が生じないように、受信する遅延波の遅延時間が短い方のアンテナに切り替えることができる。
【発明の効果】
【００１１】
本発明によれば、環境によらず良好な受信特性を得ることができる。
【発明を実施するための最良の形態】
【００１２】
本発明を適用した具体的な実施形態について、図面を参照しながら詳細に説明する。但し、本発明が以下の実施形態に限定される訳ではない。また、説明を明確にするため、以下の記載および図面は、適宜、簡略化されている。
【００１３】
＜実施形態１＞
本発明に係る受信装置の実施形態１を、図１〜図１０に基づいて説明する。
この受信装置１は、図１に示すように、第１のアンテナ１００、第２のアンテナ２００、切替部３００、ＲＦ部４００、遅延プロファイル推定部５００、受信電力推定部６００、指示部７００を備えている。さらに受信装置１は、復調部８００、上位層９００、デジタル処理部１０００を備えている。
【００１４】
ちなみに、本実施形態では、ＬＳＩチップ上にＰＨＹ（物理層）として、切替部３００、ＲＦ部４００、遅延プロファイル推定部５００、受信電力推定部６００、指示部７００、復調部８００を備えている。そして、ＰＨＹとインターフェースを介して接続されたＭＡＣ（Medium Access Control）として、上位層９００、デジタル処理部１０００を備えている。
【００１５】
第１のアンテナ１００、第２のアンテナ２００としては、八木・宇田アンテナなどの指向性アンテナや垂直ダイーポールなどの無指向性アンテナを用いることができる。この第１のアンテナ１００と第２のアンテナ２００との使用アンテナ（受信アンテナ）の切り替えを切替部３００で行う。第１のアンテナ１００および第２のアンテナ２００のそれぞれは、空間を伝播する信号を受信して、切替部３００に出力する。すなわち、第１のアンテナ１００および第２のアンテナ２００のそれぞれと、切替部３００との間の信号はアナログの信号である。
【００１６】
ＲＦ（Radio Frequency）部４００は、図示を省略したが、ＢＰＦ（Band Pass Filter）、ＬＮＡ（Low Noise Amplifier）、およびＬＰＦ（Low Pass Filter）などを備えている。すなわち、ＲＦ部４００は、第１のアンテナ１００又は第２のアンテナ２００が受信した信号から希望する帯域の信号のみを抽出し、この抽出した信号を増幅した後にダイレクトコンバージョン方式によってベースバンド帯域に変換する。そして、ＲＦ部４００は、ベースバンド帯域に変換した信号を、復調部８００、遅延プロファイル推定部５００および受信電力推定部６００に出力する。すなわち、ＲＦ部４００が出力する信号はデジタルベースバンドの信号となる。
【００１７】
遅延プロファイル推定部５００は、入力された信号から直接波と遅延波の到来時間の広がりを求める。具体的にいうと、遅延プロファイル推定部５００は、図２に示すように、ＦＩＲ（Finite Impulse Response）フィルタから成る。すなわち、図３に示す波形の受信信号と、図４に示す波形のフィルタ係数とがＦＩＲフィルタに入力されると、図５に示す波形の遅延プロファイルを求めることができる。より具体的に図示すると、遅延プロファイルは、図６に示すように、積項の和に基づいており、各積項は係数と遅延された受信信号とを乗算して求められる。
【００１８】
遅延プロファイル推定部５００は、遅延波の遅延時間τとして、上述のように求めた遅延プロファイルのサイドローブが所定の電力幅に入っている時間を求め、この遅延波の遅延時間τを指示部７００に出力する。言い換えると、遅延プロファイル推定部５００は、第１のアンテナ１００が受信した電波の遅延プロファイルから、前記第１のアンテナに直接波が到達する時点と、この直接波より遅れて第１のアンテナ１００に到達する遅延波の電力が所定の閾値以下になる時点と、の差分である第１遅延時間τ１を求める。さらに遅延プロファイル推定部５００は、第２のアンテナ２００が受信した電波の遅延プロファイルから、前記第２のアンテナに直接波が到達する時点と、この直接波より遅れて第２のアンテナ２００に到達する遅延波の電力が所定の閾値以下になる時点と、の差分である第２遅延時間τ２を求める。（以下遅延時間τ１と遅延時間τ２を遅延時間τと総称することがある。）ここで、遅延波の遅延時間τとは、図５に示すように、直接波が第一波より後に受信アンテナに到来する場合において、受信電力が当該直接波の電力以下で所定の閾値より大きい範囲内となっている時間だけでない。すなわち、図７に示すように、直接波が第一波目に到来し、受信電力が当該直接波の電力から所定の閾値以下となるまでの時間も含む。
【００１９】
受信電力推定部６００は、入力された受信信号から受信電力を求める。すなわち、受信電力推定部６００は、ＲＦ部４００が出力したデジタルベースバンドの信号の振幅に基づいて、ＲＦ部６００が出力した係る信号の電力を求める。なお、受信電力推定部６００は、復調部８００でのＦＦＴ（Finite Fourier transform：離散フーリエ変換）前の１シンボル区間の二乗平均を用いて受信電力を求めてもよい。また、受信電力推定部６００は、ＦＦＴ後に出てくる各サブキャリアの受信電力の積分を用いて受信電力を求めても良い。受信電力推定部６００は、求めた受信電力を指示部７００に出力する。
【００２０】
指示部７００は、コンパレータから成り、各々のアンテナ１００、２００の遅延プロファイルおよび受信電力に基づいて、前記切替部３００に第１のアンテナ１００又は第２のアンテナ２００の切り替えを指示する。すなわち、指示部７００は、図８に示すように、各々のアンテナ１００、２００における遅延波の遅延時間τに基づいて、前記遅延時間τが長い方のアンテナを選択する。そして、指示部７００は、この選択したアンテナにおける遅延波の遅延時間τが、シンボル間干渉を起こすほど長いか、即ちガードインターバル長より長いか否かを判定する（Ｓ１）。例えば遅延時間τ１とτ２の内、τ１の方がτ２よりも長いとする。この場合、指示部７００は、τ１がガードインターバル長より長いか否かを判定する。
【００２１】
次に、指示部７００は、選択したアンテナにおける遅延波の遅延時間τの方がガードインターバル長より長いと判定すると、切替部３００に遅延時間τが短い方のアンテナへの切り替えを指示する（Ｓ２）。一方、指示部７００は、選択したアンテナにおける遅延波の遅延時間τの方がガードインターバル長より短いと判定すると、切替部３００に受信電力が大きい方のアンテナへの切り替えを指示する（Ｓ３）。
【００２２】
このように指示部７００は、各々のアンテナ１００、２００の受信電力よりも優先的に遅延プロファイルに基づいて、使用アンテナを切り替えるので、ガードインターバル長を超えるような遅延波が到来する劣悪な受信環境下で信号を受信する際には、シンボル間干渉が生じないように、受信する遅延波の遅延時間τが短い方のアンテナに切り替えることができる。その一方で、指示部７００は、各々のアンテナ１００、２００の受信電力にも基づいて、使用するアンテナを切り替えるので、良好な受信環境下で信号を受信する際には、受信電力が大きい方のアンテナに切り替えることができる。そのため、環境によらず良好な受信特性を得ることができる。勿論、受信特性が良好な場合は、アンテナを切り替えないので、断続的に良好な受信特性を得ることができる。
【００２３】
なお、切替部３００は、指示部が電波の受信に使用すべきアンテナとして指示した第１のアンテナ１００および第２のアンテナ２００の内の一のアンテナとＲＦ部４００とを接続する。切替部３００によって選択されたアンテナが受信した信号がＲＦ部４００に入力される。
【００２４】
本願発明とは直接的な関係はないが、一般的な復調部に関して説明する。復調部８００は、図９に示すように、Ａ／Ｄ変換器８０１、時間域デジタル信号処理部８０２、フーリエ変換器８０３、周波数域デジタル信号処理部８０４、復調軟判定部８０５、Ｄｅ−Ｓｃｒａｍｂｌｅｒ８０６、誤り訂正８０７などを備えている。つまり、復調部８００は、ＲＦ部４００から入力された受信信号をＡ／Ｄ変換器８０１でデジタル信号に変換し、送受信装置間の周波数誤差の補正やキャリアセンス処理を時間域デジタル信号処理部８０２で行った後に、フーリエ変換器８０３で、時間域信号である受信信号を周波数域信号に変換する。さらに復調部８００は、周波数域デジタル信号処理部８０４で各補正処理を行った受信信号を復調軟判定部８０５で軟判定型のデマッピング処理を行い、受信信号を送信装置側で送信した信号順に並び替える等の処理を行った後に、Ｄｅ−Ｓｃｒａｍｂｌｅｒ８０６でデスクランブル処理を行う。そして、復調部８００は、誤り訂正８０７で受信信号をリードソロモン符号復号などによる誤り訂正処理を行った後に、復号した受信データを上位層９００、デジタル処理部１０００に出力する。
【００２５】
上述した構成の受信装置１の選択ダイバーシチの具体的な流れを説明する。
まず、指示部７００は、切替部３００に対して第１のアンテナ１００を選択するよう指示する。また、受信装置１は、図１０（ａ）に示す情報を含む信号を受信するものとする。すなわち、第１のアンテナ１００および第２のアンテナ２００が受信する信号が含む情報は、時間の経過とともに、プリアンブル、ヘッダ、ペイロードと変化する。プリアンブルは、例えば１ビットの"１"と１ビットの"０"との組み合わせからなるビット列である。プリアンブルは、例えば固定パターンのビット列であり、送信装置と受信装置のクロックの同期の確立などにも使用される。ヘッダは、プリアンブルの後に設けられ、ヘッダの後に続くペイロードに関する情報を含む。ペイロードは、例えば具体的に送信装置が受信装置に対して送信したいデータを含む。第１のアンテナ１００が、図１０（ａ）に示す情報を含む信号のプリアンブル部分の受信を開始する。第１のアンテナ１００は、プリアンブルの情報を含むアナログ信号を切替部３００を介してＲＦ部４００に出力していく。ＲＦ部４００は、入力された信号に処理を施し、デジタルベースバンド信号となったプリアンブルを復調部８００、受信電力推定部６００、遅延プロファイル推定部５００のそれぞれに出力していく。ここで、復調部８００は、受信信号を成すパケットのプリアンブルが入力されると、遅延プロファイル推定部５００に対して、第１のアンテナ１００における遅延波の遅延時間τの算出を指示する。また、復調部８００は、プリアンブルが入力されると、受信電力推定部６００に第１のアンテナ１００における受信電力の算出を指示する。プリアンブルが入力された復調部８００から指示を受けた遅延プロファイル推定部５００は、ＲＦ部４００が出力したデジタルベースバンド信号、すなわちデジタルベースバンド信号となったプリアンブルから第１のアンテナ１００における遅延波の遅延時間τを求め、求めた遅延時間τを指示部７００に出力する。プリアンブルが入力された復調部から指示を受けた受信電力推定部６００は、ＲＦ部４００が出力したデジタルベースバンド信号、すなわちデジタルベースバンド信号となったプリアンブルから第１のアンテナ１００が受信した信号の電力を求め、求めた受信電力を指示部７００に出力する。なお、この時点で、第１のアンテナ１００は、図１０（ａ）に示すプリアンブル部分の一部を受信している。
【００２６】
第１のアンテナ１００が受信したプリアンブルから算出された遅延時間τおよび受信電力のそれぞれを、遅延プロファイル推定部５００および受信電力推定部６００のそれぞれから取得した指示部７００は、取得した遅延時間τおよび受信電力を、例えばレジスタのような記憶手段に保持する。そして、指示部７００は、切替部３００に対して信号を受信するアンテナを第１のアンテナ１００から第２のアンテナ２００に切り替えるよう指示する。指示部７００からの指示に基づき、切替部３００は、信号の受信を行うアンテナを第１のアンテナ１００から第２のアンテナ２００に切り替える。そして第２のアンテナ２００が信号の受信を開始する。具体的には第２のアンテナ２００は、第１のアンテナ１００が受信したプリアンブルの部分に続くプリアンブルの受信を開始する。第１のアンテナ１００の場合と同様に、第２のアンテナ２００が受信したアナログ信号は切替部３００を介してＲＦ部４００に入力される。ＲＦ部４００は、受信したアナログ信号を、プリアンブルを示すデジタルベースバンド信号に変換して復調部８００、受信電力推定部６００、遅延プロファイル推定部５００に出力する。以下、第１のアンテナ１００の場合と同様に、デジタルベースバンド信号となったプリアンブルが入力された復調部８００が受信電力推定部６００および遅延プロファイル推定部５００のそれぞれに対して、受信電力および遅延時間τのそれぞれを求めるように指示する。そして、指示を受けた受信電力推定部６００および遅延プロファイル推定部５００のそれぞれは、ＲＦ部４００が出力したデジタルベースバンド信号、すなわちデジタルベースバンド信号となったプリアンブルから、第２のアンテナが受信した信号の電力と遅延時間τを求めて指示部７００に出力する。指示部７００は受信電力推定部６００および遅延プロファイル推定部５００のそれぞれから取得した受信電力と遅延時間τをレジスタのような記憶手段に記憶しておく。この時点で第２のアンテナ２００は、第１のアンテナ１００が受信したプリアンブルに続くプリアンブルの一部を受信している。
【００２７】
次に、指示部７００は、第１のアンテナ１００が信号を受信している際に受信電力推定部６００および遅延プロファイル推定部５００のそれぞれから取得した受信電力および遅延時間τと、第２のアンテナ２００が信号を受信している際に受信電力推定部６００および遅延プロファイル推定部５００のそれぞれから取得した受信電力および遅延時間τと、をレジスタ等の記憶手段から読み出して使用し、図８に示したフローチャートに記載した判定を行う。すなわち、指示部７００は、各々のアンテナ１００、２００における遅延波の遅延時間τに基づいて、前記遅延時間τが長い方のアンテナを選択する。そして、指示部７００は、この選択したアンテナにおける遅延波の遅延時間τが、ガードインターバル長より長いか否かを判定する。次に、指示部７００は、選択したアンテナにおける遅延波の遅延時間τの方がガードインターバル長より長いと判定すると、切替部３００に遅延時間τが短い方のアンテナへの切り替えを指示する。一方、指示部７００は、選択したアンテナにおける遅延波の遅延時間τの方がガードインターバル長より短いと判定すると、切替部３００に受信電力が大きい方のアンテナへの切り替えを指示する。以上の処理で、受信装置１が使用するアンテナが第１のアンテナ１００と第２のアンテナ２００のどちらであるかが決定される。
【００２８】
なお、上述したように、受信装置１が使用するアンテナを決定する処理は、図１０（ａ）に示したプリアンブルの一部を使用して行われる。したがって、上述の工程を、図１０（ｂ）に示すように、受信信号のプリアンブルを受信している間、繰り返し行って、使用するアンテナを決定してもよい。そのようにすることで、受信特性がより良好となるアンテナを用いて、その後の受信信号のヘッダおよびＰａｙ  ｌｏａｄを受信できる。なお、信号の受信に使用するアンテナの選択は、各受信信号のパケット毎に行う。すなわち、使用するアンテナが決定された後、図１０（ａ）のヘッダおよびペイロードがアンテナによって受信され、受信装置の内部の回路によってヘッダおよびペイロードの情報が処理される。その後、図１０（ａ）に示す情報を含む別の信号の受信を選択されているアンテナが開始する。選択されているアンテナはまずプリアンブルから受信するため、上述したように、復調部８００が再びプリアンブルを取得した時点で、受信装置１は上述したアンテナの選択を行う処理を開始する。
【００２９】
但し、本実施形態は、アンテナが受信する遅延波の遅延時間をフーリエ変換前の時間域処理により求めているが、フーリエ変換後の周波数域処理により求める場合は、図１０（ｃ）に示すように、常に使用アンテナを切り替えることも可能となる。
【００３０】
＜実施形態２＞
本発明に係る受信装置および受信方法の実施形態２を、図１１に基づいて説明する。なお、本実施形態の受信装置２は、上記実施形態１の受信装置１と略同様の構成とされているので、異なる部分のみを詳細に説明する。
【００３１】
この受信装置２は、図１１に示すように、各々のアンテナ１００、２００における遅延波の遅延時間および受信電力を常に算出することができる構成とされている。
つまり、第１のアンテナ１００と切替部３００との間にＲＦ部４００ａを備えている。このＲＦ部４００ａは、第１のアンテナ１００で受信された受信信号が、切替部３００、遅延プロファイル推定部５００および受信電力推定部６００に入力されるように、各々に接続している。
【００３２】
第２のアンテナ１００と切替部３００との間にも、ＲＦ部４００ｂを備えている。このＲＦ部４００ｂは、第２のアンテナ２００で受信された受信信号が、切替部３００、遅延プロファイル推定部５００および受信電力推定部６００に入力されるように、各々に接続している。
【００３３】
そのため、指示部７００には、使用アンテナを切り替えなくても、図１０（ｄ）に示すように、常に各々のアンテナ１００、２００の遅延プロファイルおよび受信電力が入力される。この指示部７００は、上記実施形態１と同様に各々のアンテナ１００、２００の遅延プロファイルおよび受信電力に基づいて、どちらのアンテナから受信された受信信号を復調部８００に出力するかを切替部３００に指示する。
【００３４】
このような構成の受信装置２は、使用アンテナを切り替えなくても、どちらのアンテナから受信された受信信号を復調部８００に出力するかを判断することができる。どのアンテナをヘッダとペイロードの受信に使用するかの選択を行うには、プリアンブルを用いて受信電力や遅延プロファイルを求める必要があるが、プリアンブルは例えば送信装置と受信装置のクロックの同期を確立するために用いられるなど、アンテナの選択以外にも使用される。高速な通信ではプリアンブルのビット列の長さが短くなるため、アンテナの選択のために使用するプリアンブルの情報量も少ないほうが好ましい。実施形態１では、第１のアンテナ１００が受信したプリアンブルを用いて受信電力および遅延プロファイルを求めた後で、第２のアンテナ２００が別途受信したプリアンブルを用いて受信電力および遅延プロファイルを求める必要があった。したがって、実施形態１では必要となるプリアンブルの量が多くなるという課題が存在したが、実施形態２では、係る課題を解決することができる。すなわち、実施形態２は、実施形態１よりも少ない情報量のプリアンブルで使用すべきアンテナの選択を行うことができる。勿論、本実施形態の受信装置２も、環境によらず良好な受信特性を得ることができる。
【００３５】
＜実施形態３＞
上記実施形態１、２では、各々のアンテナ１００、２００を特定していないが、第１のアンテナ１００は指向性アンテナであって、第２のアンテナ２００は無指向性アンテナであることが好ましい。例えば、反射率の高い金属板などで囲まれた狭い部屋では電波がほどんと減衰することなく多重反射を繰り返す。そのような条件下にあるアンテナに対しては、電波が多方面から到来し、結果として直接波に対する遅延波の数が増加することになる（具体的には上述の遅延時間τが増加する）。このような劣悪な受信環境下では第１のアンテナ１００として指向性アンテナを使用することで、見かけ上の遅延波数を削減することができ、受信特性を向上させることができる。指向性アンテナは、特定の方向から到来する電波を感度よく受信することができるからである。しかし、第１のアンテナ１００のみでなく、第２のアンテナ２００をも指向性アンテナとすると、非金属で囲まれた広い部屋のような良好な受信環境下において電波を効率よく受信できない。このような良好な受信環境では、電波の多重反射はほとんど生じないため、電波は限られた方向から到来し、電波の伝播損および反射損が大きく遅延波が少なくなるからである。この状況を考慮して、第２のアンテナ２００に無指向性アンテナを使用する。無指向性アンテナでは、広範囲から到来する電波を感度よく受信することができるからである。良好な受信環境下では無指向性アンテナである第２のアンテナ２００を信号の受信に使用することで、エリアカバレッジを向上させることができる。したがって、第１のアンテナ１００に指向性アンテナを使用し、第２のアンテナ２００に無指向性アンテナを使用することで、環境によらず良好な受信特性を実現することができる。
【００３６】
以上に、本発明に係る受信装置および受信方法の実施形態を説明したが、本発明の要旨を逸脱しない範囲で、種々の変更が可能である。
【図面の簡単な説明】
【００３７】
【図１】本発明に係る実施形態１の受信装置の構成を概略的に示すブロック図である。
【図２】遅延プロファイル推定部の機能を示す図である。
【図３】遅延プロファイル推定部に入力される受信信号の波形を示す図である。
【図４】遅延プロファイル推定部に入力されるフィルタ係数の波形を示す図である。
【図５】遅延プロファイル推定部で求められた遅延波の遅延時間を示す図である。
【図６】遅延プロファイル推定部の機能を更に具体的に示した図である。
【図７】異なる受信信号によって遅延プロファイル推定部で求められた遅延波の遅延時間を示す図である。
【図８】本発明に係る受信方法の流れを示すフローチャートである。
【図９】復調部の構成を概略的に示すブロック図である。
【図１０】（ａ）は受信信号を成すパケットの概略構成図である。（ｂ）は実施形態１のアンテナの切り替えを示すタイムチャートである。（ｃ）は実施形態１の異なるアンテナの切り替えを示すタイムチャートである。（ｄ）は実施形態２のアンテナの切り替えを示すタイムチャートである。
【図１１】本発明に係る実施形態２の受信装置の構成を概略的に示すブロック図である。
【図１２】送信アンテナと受信アンテナとの間の信号の伝送を示す模式図である。
【図１３】シンボル間干渉が生じる説明図である。
【図１４】シンボル間にガードインターバルを設けることで、シンボル間干渉を回避した説明図である。
【符号の説明】
【００３８】
１  受信装置
２  受信装置
１００  第１のアンテナ
２００  第２のアンテナ
３００  切替部
４００  ＲＦ部
４００ａ  ＲＦ部
４００ｂ  ＲＦ部
５００  遅延プロファイル推定部
６００  受信電力推定部
７００  指示部
８００  復調部
τ  遅延波の遅延時間
【図１】
2009302610.tif 000003
【図２】
2009302610.tif 000004
【図３】
2009302610.tif 000005
【図４】
2009302610.tif 000006
【図５】
2009302610.tif 000007
【図６】
2009302610.tif 000008
【図７】
2009302610.tif 000009
【図８】
2009302610.tif 000010
【図９】
2009302610.tif 000011
【図１０】
2009302610.tif 000012
【図１１】
2009302610.tif 000013
【図１２】
2009302610.tif 000014
【図１３】
2009302610.tif 000015
【図１４】
2009302610.tif 000016